(57)【要約】【課題】スクリーンの開閉操作時には簡易な構成によりインナーレールを第１位置に保持させ、スクリーンの取外し交換時にはインナーレールの保持を容易に解除してインナーレールを第２位置に変位可能とし、容易にスクリーンを交換可能にする。【解決手段】巻取りボックス４に開放カバー４Ａを設け、巻取り軸支持部材３４，３６を巻取り軸１４とともに取出し可能とし、巻取りボックスに導出入口５を設けて可動框１６を取出し可能とする。インナーレール２０，２４を枠本体１８，２２内の見込方向に第１位置と第２位置とに変位自在とし、インナーレールが第２位置の状態でのみ可動框が導出入口に対向可能とする。スクリーン枠２にインナーレールをスクリーンの開閉操作時に第１位置に保持し、取外し交換時に第２位置に変位可能としたインナーレールの変位機構を付設する。【選択図】図１
2008163672.tif 000002
【特許請求の範囲】
【請求項１】
巻取りボックスと該巻取りボックスに対向する側枠との上下端を上下枠で相互に連結することにより構成したスクリーン枠を備え、スクリーンの先端を該スクリーン枠の上下枠に沿って摺動自在の可動框に取外し自在に固定するとともに、該スクリーンの基端を巻取りボックス内においてスプリングの付勢力で回転する巻取り軸に取外し自在に固定して、該スクリーンの開閉方向に沿う上下端部をそれぞれ上記スクリーン枠の上下枠にガイドさせながら、該スクリーンを上記スプリングの付勢力で巻取り軸に巻取るようにした横引きの巻取り式スクリーン装置において、
上記巻取りボックスに、巻取り軸及びその支持部材を取出し可能な大きさに開放する開放カバーを設けて、該巻取りボックス内に取外し可能に設けた巻取り軸支持部材を巻取り軸とともに取出し可能に形成し、且つ該巻取りボックスに上記可動框をスクリーン枠の上下枠間から上記スクリーンとともに巻取りボックス内に導出入可能にする導出入口を設けて、該ボックス内を通して可動框を外部に取出し可能とし、
上記スクリーン枠の上枠及び／又は下枠を、枠本体とインナーレールとを備えるものとして、該インナーレールに上記スクリーンの開閉方向に沿う端部をガイドさせるとともに、上記可動框の端部を摺動自在に支持させ、
上記インナーレールを、上記枠本体内の見込方向において、スクリーンの開閉操作に供する第１位置と、スクリーンの取外しを行うための第２位置とに変位自在として、該インナーレールが第２位置にある状態でのみ、該インナーレールに沿って可動框が上記巻取りボックスの導出入口に対向可能となるように構成し、
上記スクリーン枠に、スクリーンの開閉操作時においては上記インナーレールを第１位置に保持し、スクリーンの取外し交換時においては該インナーレールを第２位置に変位可能としたインナーレールの変位機構を付設した、
ことを特徴とする巻取り式スクリーン装置。
【請求項２】
上記第１位置を枠本体における室外側、上記第２位置を枠本体における室内側とし、
上記枠本体は、上記第１位置においてインナーレールが枠本体内を見付方向に若干移動可能に形成するとともに、上記第２位置においては、枠本体の巻取りボックス側端部に設けたスペーサにより、該インナーレールが巻取りボックス側とそれに対向する側枠側において移動不能に形成し、
上記枠本体の側枠側端部に、第１位置にあるインナーレールの側枠側への移動を阻止するストッパー部材を挿脱自在に設け、
上記ストッパー部材及びスペーサにより前記変位機構を構成し、
上記ストッパー部材の挿着時においては、該インナーレールが上記第１位置に変位して、上記スペーサにより第２位置への変位が阻止され、上記ストッパー部材の抜脱時においては、該インナーレールをスクリーンの取外しを行う上記第２位置に変位可能とした、
ことを特徴とする請求項１に記載の巻取り式スクリーン装置。
【請求項３】
上記巻取り軸に、巻取用のスプリングの付勢力を一時的に不作用にする固定手段を付設した、
ことを特徴とする請求項１または２に記載の巻取り式スクリーン装置。
【請求項４】
請求項２に記載の巻取り式スクリーン装置においてスクリーンを交換する方法であって、
スクリーン枠の上枠及び／又は下枠における上記側枠側の端部に上記ストッパー部材を挿着することにより、該インナーレールを上記巻取りボックス側に変位させて上記第１位置に保持した状態から、上記ストッパー部材を抜脱して、該インナーレールを上記第２位置に変位させた状態において、上記巻取りボックス内から巻取り軸支持部材を巻取り軸とともに取出し、次いで、スクリーンの先端に固定した可動框を上記インナーレールに沿って該スクリーンとともに上記巻取りボックス内に導入するとともに、該可動框を巻取りボックス内を通して外部に取出し、
既設スクリーンを上記可動框及び上記巻取り軸から取外して、交換用スクリーンを可動框及び巻取り軸に固定し、
次いで、上記可動框を巻取りボックス内を通して上記スクリーン枠に摺動自在に支持させるとともに、上記スクリーンの開閉方向に沿う上下端部を上記スクリーン枠にガイドさせ、それから上記巻取り軸を巻取り軸支時部材により巻取りボックス内に回転自在に支持させ、
上記上枠及び／又は下枠に上記ストッパー部材を挿着することにより、該インナーレールを第１位置に変位した状態に保持する、
ことを特徴とする巻取り式スクリーン装置におけるスクリーンの交換方法。
【発明の詳細な説明】
【技術分野】
【０００１】
本発明は、スクリーンの交換を容易にした巻取り式スクリーン装置及び該装置におけるスクリーンの交換方法に関するものである。
【背景技術】
【０００２】
従来より、スクリーンの一端をスクリーン枠に摺動自在の可動框に固定するとともに、上記スクリーンの他端を巻取りボックス内においてスプリングの付勢力で回転する巻取り軸に固定し、該付勢力で巻取り軸に上記スクリーンを巻取るようにした巻取り式スクリーン装置は、特に例示するまでもなく一般に広く知られている。この種のスクリーン装置では、スクリーンに破れや解れ等が生じ、あるいは長期間の使用により汚れてしまい、該スクリーンを交換する必要がある場合に、概して、スクリーンを巻付けた巻取り軸ごと交換するか、あるいは巻取りボックスごと交換する方法で対応していた。しかしながら、これらの方法では、スクリーン以外の交換する必要がない部材も交換することになってしまうため、無駄が多いばかりでなく、スクリーンの交換のためのコストも高くなってしまうという問題点があった。
而して、ユーザー自身でスクリーンを交換することは可能であるが、その場合に、既設のスクリーンを巻取り軸から取外すことができたとしても、その巻取り軸に新しいスクリーンを貼り付けるには、該スクリーンが皺にならないように真っ直ぐの状態で巻取り軸に取付ける必要があり、また巻取用のスプリングの付勢力も調整する必要があり、それらの作業には熟練を要するため、このような方法でユーザー自身がスクリーンのみを交換するのは極めて困難であった。
【０００３】
また、上記スクリーンを巻取り軸あるいは巻取りボックスも含めてメーカーに送ることで、スクリーンのみを交換してもらうこともできるが、メーカーに巻取り軸等を取外して送付する手間がかかるだけでなく、スクリーンの交換及び返送に少なからず時間と費用がかかってしまうという問題点が指摘されている。
【０００４】
一方で、一般のユーザー自身がスクリーンのみを交換することができる方法があるにはあるが、従来の交換方法では、設置された状態のスクリーン装置からスクリーンのみを取外す必要があり、当該スクリーン装置が設置された場所の設置条件によっては、スクリーンの交換が困難になってしまう場合があった。
すなわち、既設のスクリーン装置からスクリーンのみを取外すに際しては、該スクリーンの先端及び基端をそれぞれ固定した可動框及び巻取り軸から該スクリーンを取外す必要があるが、上記スクリーン装置は、例えば高所や狭所にある建物開口部など、様々な設置条件下にある場所に取付けられるものであり、そのような場所に設置された既設のスクリーン装置から、前述したようなスクリーンのみを取外す作業を該スクリーン装置の周囲の限定された条件下のスペースで行うのは、一般のユーザーにとって困難な場合が多いばかりでなく危険を伴う場合も考えられ、やはりその作業には少なからず熟練を要し、必ずしも容易に交換できる方法とはいえないものであった。
【０００５】
上述のような問題点を解決するものとして、本発明者らは、前に出願した特願２００６−１６６４２２において、スクリーン装置が設置された場所の設置条件に影響されることなく、ユーザーが容易に且つ安全に、しかも安価にスクリーンのみを交換することができるようにした巻取り式スクリーン装置及び該装置におけるスクリーンの交換方法を提案している。この既提案の手段においては、上記スクリーン枠が枠本体とインナーレールとを備えるものとして、該インナーレールを、上記枠本体内においてスクリーンの開閉操作に供する室外側の第１位置と、スクリーンの取外しを行うための室内側の第２位置とに変位自在に構成し、上記インナーレールが枠本体内の第１位置にあるときには、上記可動框が巻取りボックス内に導入されるのが阻止され、該インナーレールが枠本体内の第２位置にあるときのみに上記可動框が巻取りボックス内に導入されるようにしている。当該スクリーン装置の開閉操作時においては、可動框を開閉する際の操作力でインナーレールが第１位置側に押し付けられるので、上記スクリーン及び可動框を安定的にガイドすることができるものであるが、何らかの原因でインナーレールが第２位置に移動して該可動框が巻取りボックス内に誤って導入されてしまうこともないわけではなく、また、上記スクリーンの張設時において、該スクリーンに風等の外力が作用すると、該スクリーン及び可動框、並びにその端部をガイドする上記インナーレールがばたつく虞があり、したがって、上記スクリーンの開閉操作時や張設時、すなわち、特にスクリーンを取外し交換する必要がない場合においては、上記インナーレールを簡単な手段で枠本体内の第１位置に保持させることが望ましい。
【発明の開示】
【発明が解決しようとする課題】
【０００６】
本発明の技術的課題は、既設のスクリーンの先端及び基端をそれぞれ固定した可動框及び巻取り軸とともに、該スクリーンを容易に上記巻取りボックスから取出し可能とすることにより、スクリーン装置が設置された場所の設置条件に影響されることなく、一般のユーザーが容易に且つ安全に、しかも安価にスクリーンのみを交換することができるようにした巻取り式スクリーン装置において、枠本体内に備えたインナーレールをスクリーンの開閉操作に供する第１位置とスクリーンの取外し交換を行うための第２位置とに変位自在に構成するにあたり、上記スクリーンの開閉操作時においては、簡易な構成により上記インナーレールを枠本体内の第１位置に保持させ、一方、上記スクリーンの取外し交換時においては、該インナーレールの保持を容易に解除して、該インナーレールを枠本体内の第２位置に変位可能とし、容易にスクリーンを交換可能にした巻取り式スクリーン装置と該装置におけるスクリーンの交換方法を提供することにある。
【課題を解決するための手段】
【０００７】
上記課題を解決するための本発明は、巻取りボックスと該巻取りボックスに対向する側枠との上下端を上下枠で相互に連結することにより構成したスクリーン枠を備え、スクリーンの先端を該スクリーン枠の上下枠に沿って摺動自在の可動框に取外し自在に固定するとともに、該スクリーンの基端を巻取りボックス内においてスプリングの付勢力で回転する巻取り軸に取外し自在に固定して、該スクリーンの開閉方向に沿う上下端部をそれぞれ上記スクリーン枠の上下枠にガイドさせながら、該スクリーンを上記スプリングの付勢力で巻取り軸に巻取るようにした横引きの巻取り式スクリーン装置において、上記巻取りボックスに、巻取り軸及びその支持部材を取出し可能な大きさに開放する開放カバーを設けて、該巻取りボックス内に取外し可能に設けた巻取り軸支持部材を巻取り軸とともに取出し可能に形成し、且つ該巻取りボックスに上記可動框をスクリーン枠の上下枠間から上記スクリーンとともに巻取りボックス内に導出入可能にする導出入口を設けて、該ボックス内を通して可動框を外部に取出し可能とし、上記スクリーン枠の上枠及び／又は下枠を、枠本体とインナーレールとを備えるものとして、該インナーレールに上記スクリーンの開閉方向に沿う端部をガイドさせるとともに、上記可動框の端部を摺動自在に支持させ、上記インナーレールを、上記枠本体内の見込方向において、スクリーンの開閉操作に供する第１位置と、スクリーンの取外しを行うための第２位置とに変位自在として、該インナーレールが第２位置にある状態でのみ、該インナーレールに沿って可動框が上記巻取りボックスの導出入口に対向可能となるように構成し、上記スクリーン枠に、スクリーンの開閉操作時においては上記インナーレールを第１位置に保持し、スクリーンの取外し交換時においては該インナーレールを第２位置に変位可能としたインナーレールの変位機構を付設したことを特徴とするものである。
【０００８】
本発明に係る巻取り式スクリーン装置の好ましい実施形態においては、上記第１位置を枠本体における室外側、上記第２位置を枠本体における室内側とし、上記枠本体は、上記第１位置においてインナーレールが枠本体内を見付方向に若干移動可能に形成するとともに、上記第２位置においては、枠本体の巻取りボックス側端部に設けたスペーサにより、該インナーレールが巻取りボックス側とそれに対向する側枠側において移動不能に形成し、上記枠本体の側枠側端部に、第１位置にあるインナーレールの側枠側への移動を阻止するストッパー部材を挿脱自在に設け、上記ストッパー部材及びスペーサにより前記変位機構を構成し、上記ストッパー部材の挿着時においては、該インナーレールが上記第１位置に変位して、上記スペーサにより第２位置への変位が阻止され、上記ストッパー部材の抜脱時においては、該インナーレールをスクリーンの取外しを行う上記第２位置に変位可能とする。
また、本発明に係る巻取り式スクリーン装置の他の好ましい実施形態においては、上記巻取り軸に、巻取用のスプリングの付勢力を一時的に不作用にする固定手段が付設される。
【０００９】
この巻取り式スクリーン装置において、上記スクリーンを交換する本発明の方法は、スクリーン枠の上枠及び／又は下枠における上記側枠側の端部に上記ストッパー部材を挿着することにより、該インナーレールを上記巻取りボックス側に変位させて上記第１位置に保持した状態から、上記ストッパー部材を抜脱して、該インナーレールを上記第２位置に変位させた状態において、上記巻取りボックス内から巻取り軸支持部材を巻取り軸とともに取出し、次いで、スクリーンの先端に固定した可動框を上記インナーレールに沿って該スクリーンとともに上記巻取りボックス内に導入するとともに、該可動框を巻取りボックス内を通して外部に取出し、既設スクリーンを上記可動框及び上記巻取り軸から取外して、交換用スクリーンを可動框及び巻取り軸に固定し、次いで、上記可動框を巻取りボックス内を通して上記スクリーン枠に摺動自在に支持させるとともに、上記スクリーンの開閉方向に沿う上下端部を上記スクリーン枠にガイドさせ、それから上記巻取り軸を巻取り軸支時部材により巻取りボックス内に回転自在に支持させ、上記上枠及び／又は下枠に上記ストッパー部材を挿着することにより、該インナーレールを第１位置に変位した状態に保持することを特徴としている。
【発明の効果】
【００１０】
以上に詳述した本発明の巻取り式スクリーン装置及び該装置におけるスクリーンの交換方法によれば、上記スクリーンの開閉操作時においては、簡易な構成により上記スクリーン枠における上枠及び／又は下枠のインナーレールを枠本体内の第１位置に保持させておくことができるので、スクリーンを安定的に開閉操作できるばかりでなく、上記スクリーン及び可動框、並びにその端部をガイドする上記インナーレールのばたつきを抑止することができ、しかも、上記スクリーンの取外し交換時においては、該インナーレールの保持を容易に解除して、該インナーレールを枠本体内の第２位置に変位させることができ、延いては、当該スクリーン装置が設置された場所の設置条件に影響されることなく、一般のユーザーが容易に且つ安全に、しかも安価にスクリーンのみ交換することができる。
【発明を実施するための最良の形態】
【００１１】
本発明に係る巻取り式スクリーン装置及び該装置におけるスクリーンの交換方法を実施するための最良の形態を、図面に基いて詳細に説明するに、図１〜図３は、本発明に係る巻取り式スクリーン装置の全体的な構成を示すもので、この実施例では、巻取り軸に巻回したスクリーンを横引きで開閉できるようにした巻取り式スクリーン装置を、建物開口部における遮光、断熱、目隠し、あるいは防虫等のための網戸に適用した場合について示している。
【００１２】
図１〜図３に示している巻取り式スクリーン装置は、概略的には、建物開口部に設置するスクリーン枠２の一方の側枠を構成する巻取りボックス４内に、スクリーン１２を巻付けるための巻取り軸１４を回転自在に支持させ、該巻取りボックス４の上下にそれぞれ連結配置された上枠８及び下枠１０に、上記スクリーン１２の開閉操作のための可動框１６を摺動自在に支持させるとともに、該スクリーン１２の開閉方向の上下端部を該上枠８及び下枠１０にそれぞれ後述のインナーレール２０，２４を介してガイドさせることにより、該スクリーン１２をスクリーン枠２内において開閉自在としている。
【００１３】
より具体的には、上記スクリーン枠２は、一方の側枠を構成する上記巻取りボックス４の上下端に連結された上枠８及び下枠１０と、該巻取りボックス４に対向して枠体を構成する側枠６とを、それぞれコーナー部材９，１１を介して相互に連結することにより構成され、上記巻取りボックス４の巻取り軸１４にコイルスプリング１５を内蔵させ、このコイルスプリング１５の捩りによる回転付勢力を巻取り軸１４による上記スクリーン１２の巻取りのための駆動源として、該スクリーン１２の開閉方向に沿う上下端部を上記スクリーン枠２の上枠８及び下枠１０内のインナーレール２０，２４にそれぞれガイドさせながら自動開放するように構成し、上記スクリーン１２の先端には、該スクリーン１２の開閉操作に供するところの可動框１６を着脱自在に取り付け、該可動框１６を上記上枠８及び下枠１０に摺動自在に支持させ、該可動框１６に付設した掛け金具またはマグネット（図示省略）をスクリーン１２の張設時に側枠６に係合または磁着させることにより、スクリーン１２を張設状態に保持できるようにしている。
【００１４】
上記巻取りボックス４は、巻取り軸１４の全長に沿う前面部分を取外し自在の開放カバー４Ａとすることにより、該巻取りボックス４内に取外し可能に設けた後述する巻取り軸支持部材３４，３６を上記巻取り軸１４とともに取出し可能な大きさに開放可能としている。該開放カバー４Ａは、後述する該巻取りボックス４の導出入口５を形成している前面側のスリット縁４ａを含む、該巻取りボックス４の前面側部分によって形成されている。
この開放カバー４Ａは、上記スリット縁４ａとは反対側の辺縁４ｂを、上記巻取りボックス４の前縁に回動による開閉が可能で、且つ巻取りボックス４から取外し可能に係止させているが、他の手段によって巻取りボックス４から取外すことなく、該巻取りボックス４を開放した状態で保持させるように構成することもできる。
【００１５】
また、上記巻取りボックス４には、上記スクリーン１２の開閉操作時においては、該巻取りボックス４からスクリーン１２を導出入させ、可動框１６は巻取りボックス４内にまで入らないが、上記スクリーン１２の取外し交換時においては、上記可動框１６をスクリーン枠２の上下枠８，１０間から上記スクリーン１２とともに該巻取りボックス４内に導出入可能にする導出入口５を設けて、該ボックス４内を通して可動框１６を外部に取出し可能としている。
【００１６】
なお、上記開放カバー４Ａによる巻取りボックス４の開放範囲は、既設のスクリーン１２の先端及び基端にそれぞれ固定した可動框１６及び巻取り軸１４を支持する後述の巻取り軸支持部材３４，３６とともに、該スクリーン１２を容易に巻取りボックス４から取出し可能であり、且つ巻取り軸１４のスプリング１５の付勢力を一時的に不作用とし、あるいは不作用を解除するための作業の障害にならない範囲として、自由に選定することができるが、巻取り軸１４、可動框１６及びスクリーン１２等の容易な巻取りボックス４からの取出しを考慮すると、図示しているように、上記導出入口５の前面側のスリット縁４ａもカバー４Ａの一部とするのが望ましい。
【００１７】
上記スクリーン枠２を構成する上枠８及び下枠１０は、図２に示すように、それぞれ枠本体１８，２２と一対のインナーレール２０，２４とを備えている。なお、これらの上枠８及び下枠１０の構成は実質的に同一であるから、以下の説明においては、特に説明が必要である場合を除いて、下枠１０に関連する構成についてのみ記載することとし、上枠８に関連する構成については、適宜補助符号を付して読み替えるものとして、それらの説明を省略する。
【００１８】
上記下枠１０を構成する枠本体２２は、その長手方向に沿う両側壁２２ａ，２２ａの内面の対向位置にそれぞれ係合壁２２ｂ，２２ｂが突設されており、それらの係合壁２２ｂ，２２ｂの端縁間には開溝２２ｃが形成されている。
一方、上記インナーレール２４は、その長手方向に沿う平行な一対の側壁２４ａ，２４ａが底部において連結され、その底縁部に、上記枠本体２２における係合壁２２ｂ，２２ｂに係合する係合鍔部２４ｂ，２４ｂが、また先端縁部に上記可動框１６の両端部に設けた後述する係合鉤１６ｂ，１６ｂと相互に係合する係合突条２４ｃ，２４ｃがそれぞれ形成されている。さらに、該係合突条２４ｃ，２４ｃを設けた側の側壁間には、その長手方向の中央に沿ってスリット２４ｄが形成されており、該スリット２４ｄにおいて、上記スクリーン１２の開閉方向に沿う上下端部に付設した係止部材２６を係止させることにより、該スクリーン１２の上下端部をガイドするようにしている。
【００１９】
このようにして、上記枠本体２２の係合壁２２ｂ，２２ｂに、上記インナーレール２４の係合鍔部２４ｂ，２４ｂを相互に係合させることにより、該枠本体２２における係合壁２２ｂ，２２ｂ間の開溝２２ｃに、上記インナーレール２４を、上記枠本体２２の見込方向において、スクリーン１２の開閉操作に供する室外側の第１位置（図４（ａ），（ｂ）参照）と、スクリーン１２の取外しを行うための室内側の第２位置（図５（ａ），（ｂ）参照）とに変位自在として嵌入している。そして、上記インナーレール２４が第１位置にあるときには、上記可動框１６の緩衝部材１６ａが上記巻取りボックス４における背面壁部４Ｂの入口側端部に衝当することにより、該可動框１６が巻取りボックス４内に導入されるのが阻止され、該インナーレール２４が第２位置にある状態でのみ、上記可動框１６が該インナーレール２４に沿って上記巻取りボックス４の導出入口５に対向可能となるように構成している。
そして、上記スクリーン枠２には、上記スクリーン１２の開閉操作時においては、上記インナーレール２４を室外側の第１位置に保持し、一方、該スクリーン１２の取外し交換時においては、該インナーレール２４を枠本体２２の室内側の第２位置に変位可能としたインナーレール２４の変位機構を付設している。
【００２０】
上記インナーレール２０，２４の変位機構について説明すると、上記枠本体１８，２２は、上記インナーレール２０，２４が第１位置にあるときには、該インナーレール２０，２４が枠本体１８，２２内を見付方向に若干移動可能に形成するとともに、上記インナーレール２０，２４が第２位置にあるときに、枠本体１８，２２における巻取りボックス４側の端部に設けたスペーサ２７，２９により、該インナーレール２０，２４が巻取りボックス４側とそれに対向する側枠６側間において移動不能に形成しており、また、上記上下枠８，１０における枠本体１８，２２の端部と上記側枠６の端部とを相互に連結するそれぞれのコーナー部材９，１１に、第１位置にあるインナーレール２０，２４の側枠６側への移動を阻止するためのストッパー部材２１，２５をそれぞれ挿脱自在に設けており、これらのストッパー部材２１，２５及びスペーサ２７，２９により、上記インナーレール２０，２４の変位機構を構成している。
【００２１】
より具体的には、上記ストッパー部材２５は、図４（ａ），（ｃ）及び図５（ａ），（ｃ）に示すように、上記下枠１０における枠本体２２の側枠６側の端部に位置するコーナー部材１１に挿脱自在としたもので、平板状の基部２５ａの一面に、先端を斜面とした断面略矩形をなす棒状のストッパー部２５ｂを立設することにより形成されており、該ストッパー部２５ｂをコーナー部材１１の挿入孔１１ａに挿入したときに、該ストッパー部２５ｂが上記インナーレール２４における上記側枠６側の端部と該コーナー部材１１の内壁１１ｂとの間に介挿されて、該インナーレール２４が上記枠本体２２内を巻取りボックス４側に変位し、該インナーレール２４における巻取りボックス４側の端部が上記スペーサ２９の側面に係止して、該インナーレール２４がスクリーン１２の開閉操作に供する上記第１位置に変位した状態に保持され、すなわち、該インナーレール２４が枠本体２２における第２位置側へ変位するのが阻止され、一方、上記ストッパー部材２５をコーナー部材１１から抜脱することにより、上記ストッパー部２５ｂをコーナー部材１１の挿入孔１１ａから抜脱した場合には、上記インナーレール２４が側枠６側に移動して、該インナーレール２４をスクリーン１２の取外しを行う上記第２位置に変位させることができるように構成している。なお、図中の符号２５ｃは、上記ストッパー部材２５をコーナー部材１１に挿着する際に、該コーナー部材１１の係止孔１１ｃに挿入してその先端を係止することにより、該ストッパー部材２５をコーナー部材１１に保持するための係止部である。
【００２２】
このように、上記インナーレール２４が第１位置にあるときには、上記可動框１６の緩衝部材１６ａが巻取りボックス４の背面壁部４Ｂの入口側端部に衝当することより、可動框１６が巻取りボックス４内に導入されるのが阻止され、該インナーレール２４が第２位置にある状態でのみ、可動框１６が該インナーレール２４に沿って巻取りボックス４内に導入される上記導出入口５に対向可能となるように、該インナーレール２４を構成しているので、当該スクリーン装置の開閉操作時において、該可動框１６が巻取りボックス４内に導入されてしまうなどの誤作動を抑止することができるばかりでなく、上記スクリーン枠２のコーナー部材１１に上記ストッパー部材２５を挿着するだけの簡易な手段により、上記インナーレール２４を枠本体２２内の第１位置に保持させておくことができるので、上記スクリーン１２を安定的に開閉操作でき、上記スクリーン１２及び可動框１６、並びにインナーレール２４のばたつきを抑止することもでき、一方、上記スクリーン１２の取外し交換時においては、上記ストッパー部材２５を上記コーナー部材１１から抜脱することにより、該インナーレール２４の保持を容易に解除して、該インナーレール２４を枠本体２２内の第２位置に変位させることができる。
【００２３】
上記スクリーン１２は、図２に示すように、その開閉方向に沿う上下端部にそれぞれ係止部材２６，２６を付設しており、該係止部材２６，２６をそれぞれ上記上枠８及び下枠１０内のインナーレール２０，２４のスリット２０ｄ，２４ｄの内縁に係止させることにより、該インナーレール２０，２４にスクリーン１２の開閉方向に沿う上下端部をガイドさせている。また、該可動框１６の長手方向に沿う一側面には、図３及び図６からわかるように、上記スクリーン１２に付設した係合部材２８を係合するための係合溝１６ｃが形成されており、該係合溝１６ｃの内底における係合部１６ｄに上記係合部材２８を係合させることにより、上記スクリーン１２の先端を可動框１６に取外し自在に固定している。
上記係止部材２６及び係合部材２８としては、例えば、一側端に単純な突条部を有する合成樹脂の帯条部材ばかりでなく、スライドファスナーの相互に接合される半体の一方、あるいはそれに相当するような部材をそのまま利用することができる。
【００２４】
上記可動框１６は、図２に示すように、その長手方向の両端部に、室内側及び室外側の面に沿って延び、先端を略鉤形に相対峙させて立設することにより、上記上枠８及び下枠１０におけるインナーレール２０，２４の係合突条２０ｃ，２４ｃに係合させるようにした係合鉤１６ｂ，１６ｂが形成されている。
そして、該可動框１６は、それを上記スクリーン１２等とともに巻取りボックス４から取出すことができるように構成し、すなわち、巻取軸１４等を巻取ボックス４から取外した状態で、上記上枠８及び下枠１０におけるインナーレール２０，２４を室内側の第２位置に移動させると、可動框１６を該インナーレール２０，２４に沿って上記巻取りボックス４の導出入口５から該巻取りボックス４内に導入することができ、且つ該巻取りボックス４内を通して外部に取出すことができる。そのため、該可動框１６は、この取出しを可能にする程度の寸法（厚さやスクリーン１２の開閉方向の幅等）を有するものとして形成されている（図５及び図６参照）。
【００２５】
上記巻取り軸１４は、図１に明確に示すように、上記巻取りボックス４の上下端のブラケット３０，３２に、両端をそれぞれ巻取り軸支持部材３４，３６を介して回転自在に支持されている。該巻取り軸１４は、その内部に固定軸３８を挿通しており、該巻取り軸１４から上方に突出する固定軸３８の一端を、上記巻取りボックス４の上端の巻取り軸支持部材３４を介してブラケット３０に固定的に支持させ、上記固定軸３８にスプリング１５の一端を固定すると共に、該スプリング１５の他端を、上記固定軸３８に回転自在で巻取り軸１４には固定したスプリング受け４２に固定的に取り付けている。したがって、スクリーン１２の巻取り軸１４は、巻取り軸支持部材３４に固定された固定軸３８にスプリング１５を介して連結されている。
【００２６】
上記巻取り軸１４における巻取り軸支持部材３４は、上記スクリーン１２の取外しに際して上記巻取りボックス４内から巻取り軸１４とともに取外し可能に設けられており、また、該巻取り軸支時部材３４には、上記スクリーンの取外しに際し、上記スプリング１５によるスクリーン１２の巻取りのための付勢力を一時的に不作用にするための固定手段を構成するビス４４を螺設している。このビス４４は、上記可動框１６を巻取りボックス４に対向する側枠６に保持させたスクリーン１２の全張設状態において、上記巻取りボックス４におけるカバー４Ａの開放部に臨む位置に来ることが望ましく、上記巻取り軸１４に螺挿してそれを該巻取り軸１４の内部に挿通した固定軸３８に止着することにより、上記スプリング１５から巻取り軸１４に付与されたスクリーン１２の巻取り方向の付勢力が一時的に不作用になるようにしている。
【００２７】
なお、本実施例においては、上記スクリーン１２の長さを、可動框１６を上記巻取りボックス４に対向する側枠６に保持させたスクリーン１２の張設状態において、上記スプリング１５によるスクリーン１２の巻取りのための付勢力を一時的に不作用にする固定手段としてのビス４４が、カバー４Ａの開放部に臨む位置に来るように設けているが、これはビス４４の螺動を容易にするためであり、また、巻取り軸１４内のスプリング１５の付勢力をスクリーン１２の交換後まで保持させるのに好都合であるからであるが、巻取り軸１４においてスプリング１５の付勢力の調整を容易に行う手段を設けていれば、必ずしも上記固定手段を設ける必要がない。
ここで、上記スプリング１５によるスクリーン１２の巻取りのための付勢力を一時的に不作用にする固定手段を設ける場合には、上記ビス４４に限るものではなく、簡易に巻取り軸１４を固定することができる他の手段を採用することができる。
【００２８】
上記構成を有する巻取り式スクリーン装置におけるスクリーン１２を交換するに際しては、先ず、上記可動框１６を巻取りボックス４に対向する側枠６に保持させることにより上記スクリーン１２を全張設状態とし（図３参照）、次いで上記巻取りボックス４の前面の開放カバー４Ａを開放し（図４（ａ）参照）、該巻取りボックス４における開放カバー４Ａの開放部から、上記巻取り軸１４に螺設したビス４４を締めて、該巻取り軸１４をその内部に挿通した固定軸３８に止着させることにより、上記スプリング１５によるスクリーン１２の巻取りのための付勢力を不作用にして、上記巻取り軸１４を一時的に固定する（図７参照）。
【００２９】
そして、上記スクリーン枠２の上枠８及び下枠１０と側枠６とを相互に連結するコーナー部材９，１１に挿着されたストッパー部材２１，２５を抜脱することにより、該インナーレール２０，２４を室外側の第１位置に変位した状態（図４（ａ）〜（ｂ）参照）から、該インナーレール２０，２４における巻取りボックス４側の端部が上記スペーサ２７，２９を避けて、該インナーレール２０，２４が上記第２位置に変位した状態（図５（ａ）〜（ｂ）参照）において、上記巻取りボックス４内から巻取り軸支時部材３４，３６を巻取り軸１４とともに取出し（図５（ａ）参照）、次いで、該インナーレール２０，２４に沿って上記可動框１６をスクリーン１２とともに上記巻取りボックス４の導出入口５から該巻取りボックス４内に導入するとともに（図５，図６及び図８参照）、該可動框１６を巻取りボックス４内を通して外部に取出す。そして、交換しようとする既設スクリーン１２の先端を、上記可動框１６の係合溝１６ｃ内の係合部１６ｄに係合した係合部材２８の係合を解除することにより該可動框１６から取外すと共に、該スクリーン１２の基端を巻取り軸１４から取外す（図９参照）。
以上のような極めて容易な手順により、既設のスクリーン１２をスクリーン装置から取外すことができる。
【００３０】
このように、既設のスクリーン１２の先端及び基端にそれぞれ固定した可動框１６及び巻取り軸１４とともに、該スクリーン１２を容易に上記巻取りボックス４内から取出し可能としているので、以上の一連のスクリーン１２の交換作業自体を、当該スクリーン装置の設置場所から離れた安全な場所で行うことができ、したがって、該スクリーン装置が設置された場所の設置条件に影響されることなく、ユーザー自身がスクリーン１２のみを容易に且つ安全に交換することができる。
【００３１】
そして、これらの手順の後に、交換用の新しいスクリーン１２の先端に付設した係合部材２８を上記可動框１６の係合溝１６ｃに係合させることにより、該スクリーン１２の先端を可動框１６に固定するとともに、該スクリーン１２の基端を巻取り軸１４に固定する。
上記の手順に次いで、交換用の新しいスクリーン１２の先端に固定した可動框１６を、上記上枠８及び下枠１０のインナーレール２０，２４が枠本体１８，２２における室内側の第２位置にある状態において、上記巻取りボックス４内を通して該巻取りボックス４の導出入口５から上記上枠８及び下枠１０内に導き、該可動框１６の係合鉤１６ｂ，１６ｂをインナーレール２０，２４の係合突条２０ｃ，２０ｃに係合させることにより、該可動框１６の両端部をインナーレール２０，２４に摺動自在に支持させるとともに、上記スクリーン１２の開閉方向に沿う上下端部に付設した係止部材２６を上記インナーレール２０，２４のスリット２０ｄ，２４ｄに係合させることにより、該インナーレール２０，２４にスクリーン１２の開閉方向に沿う上下端部をガイドさせ、それから上記巻取り軸１４を巻取り軸支持部材３４，３６を介して巻取りボックス４の上下端のブラケット３０，３２に回転自在に支持させ、その状態で上記可動框１６を側枠６に保持させて、上記スクリーン１２が全面的に緊張せしめられた状態において、上記上枠８及び下枠１０と側枠６の上下端部とを相互に連結するコーナー部材９，１１に、上記ストッパー部材２１，２５をそれぞれ挿着することにより、該インナーレール２０，２４を枠本体１８，２２内において上記巻取りボックス４側に変位させるとともに、該インナーレール２０，２４における巻取りボックス４側の端部が上記スペーサ２７，２９にそれぞれ係止して、該インナーレール２０，２４が室外側の第１位置に変位した状態に保持し、しかる後に、上記巻取り軸１４における上記固定軸３８に止着したビス４４を弛めることにより、該巻取り軸１４のスプリング１５の一時的な不作用を解除する。
以上のような極めて容易な手順により、上記スクリーン１２の交換作業が完了する。
【００３２】
上記構成を有する巻取式スクリーン装置及び該装置におけるスクリーン１２の交換方法によれば、既設のスクリーン１２の先端及び基端にそれぞれ固定した可動框１６及び巻取り軸１４とともに、該スクリーン１２を容易に上記巻取りボックス４内から取出し可能としているので、当該スクリーン装置が設置された場所の設置条件に影響されることなく、一般のユーザーが容易に且つ安全にスクリーン１２のみを交換することができるうえに、巻取り軸１４や巻取りボックス４等の交換不要な部材を交換する必要がないので、結果的に、スクリーン１２のみを安価に交換することができる。
【００３３】
そのうえ、上記スクリーン枠２を構成する上枠８及び下枠１０が枠本体１８，２２と一対のインナーレール２０，２４とを備えるものとして、該インナーレール２０，２４を、上記枠本体１８，２２内において、室外側の第１位置と室内側の第２位置とに変位自在に構成して、上記インナーレール２０，２４が第１位置にあるときには、上記可動框１６が巻取りボックス４内に導入されるのが阻止され、該インナーレール２０，２４が第２位置にある状態でのみ、上記可動框１６が該インナーレール２０，２４に沿って巻取りボックス４内に導入される上記導出入口５に対向可能となるように構成しているので、当該スクリーン装置の開閉操作時において、該可動框１６が巻取りボックス４内に誤って導入されてしまうなどの誤作動を抑止することができ、しかも、上記スクリーン枠２がインナーレール２０，２４の変位機構を備えるものとして構成することにより、上記スクリーン１２の開閉操作時においては、上記スクリーン枠２のコーナー部材９，１１に上記ストッパー部材２１，２５を挿着するだけの簡易な手段により、上記インナーレール２０，２４を枠本体１８，２２内の第１位置に保持させておくことができるので、上記スクリーン１２を安定的に開閉操作できるばかりでなく、上記スクリーン１２及び可動框１６、並びにインナーレール２０，２４のばたつきを抑止することができ、一方、上記スクリーン１２の取外し交換時においては、上記ストッパー部材２１，２５を上記コーナー部材９，１１から抜脱することにより、該インナーレール２０，２４の保持を容易に解除して、該インナーレール２０，２４を枠本体１８，２２内の第２位置に変位可能とすることができる。
【００３４】
なお、上述した実施例においては、上記インナーレール２０，２４の変位機構を、上記スクリーン枠２の上下枠８，１０と側枠６の上下端部とを相互に連結するそれぞれのコーナー部材９，１１に挿脱自在に配設した上記ストッパー部材２１，２５と、上記枠本体１８，２２における巻取りボックス４側の端部に設けたスペーサ２７，２９とで構成した場合について記載したが、インナーレールの変位機構を構成する上記ストッパー部材及びスペーサは、上記コーナー部材９，１１及び枠本体１８，２２のいずれか一方に設けた構成とすることもできる。
【図面の簡単な説明】
【００３５】
【図１】本発明の実施例に係る巻取り式スクリーン装置の部分破断正面図である。
【図２】図１の側断面図である。
【図３】図１の平断面図である。
【図４】（ａ）はスクリーンの取外し手順における巻取りボックスの開放カバーを開放した態様を説明する平断面図、（ｂ）は（ａ）の状態におけるスクリーン枠の枠本体内のインナーレールの位置を説明する部分側断面図、（ｃ）はスクリーン枠にストッパー部材が挿入されている状態を示す部分拡大斜視図である。
【図５】（ａ）はスクリーンの取外し手順における、巻取りボックス内から巻取り軸及び巻取りボックスを取出すとともに、スクリーン枠のインナーレールに沿って可動框を巻取りボックス内に導入する態様を説明する平断面図、（ｂ）は（ａ）の状態におけるスクリーン枠の枠本体内のインナーレールの位置を説明する部分側断面図、（ｃ）はスクリーン枠からストッパー部材を抜脱した状態を示す部分拡大斜視図である。
【図６】スクリーンの取外し手順における、可動框を巻取りボックス内に導入した状態を説明する平断面図である。
【図７】スクリーンの取外し手順における図５の（ａ）と同様の状態での斜視図である。
【図８】スクリーンの取外し手順における図６と同様の状態での斜視図である。
【図９】スクリーンの取外し手順における既設のスクリーンから可動框と巻取り軸を取外して交換用スクリーンに交換する態様を説明する斜視図である。
【符号の説明】
【００３６】
２    スクリーン枠
４    巻取りボックス
４Ａ  開放カバー
５    導出入口
６    側枠
８    上枠
１０    下枠
１２    スクリーン
１４    巻取り軸
１５    コイルスプリング
１６    可動框
１８，２２    枠本体
２０，２４    インナーレール
２１，２５    ストッパー部材
２７，２９    スペーサ
３４，３６    巻取り軸支持部材
４４    ビス
【図１】
2008163672.tif 000003
【図２】
2008163672.tif 000004
【図３】
2008163672.tif 000005
【図４】
2008163672.tif 000006
【図５】
2008163672.tif 000007
【図６】
2008163672.tif 000008
【図７】
2008163672.tif 000009
【図８】
2008163672.tif 000010
【図９】
2008163672.tif 000011